(57)【要約】【課題】接着面となる袋の上部を、ストリップと接着させる固着部に対して正確にセットし、接着位置の安定化および袋の潰れを防止するようにしたストリップバッグ装置を提供する【解決手段】内部に商品を充填した袋を製袋する製袋部（１）と、製袋された袋（Ｂ）とストリップ（Ｓ）とを挟持加圧して接着する固着部（２）と、袋（Ｂ）を把持して固着部（２）まで移動させる移動部（３）とを備えるストリップバッグ装置において、移動部（３）により袋（Ｂ）の接着面を固着部（２）の加圧面（２１ａ）に沿うように傾斜させる。【選択図】        図２
2004331151.tif 000002
【特許請求の範囲】
【請求項１】
内部に商品を充填した袋を製袋する製袋部と、
該製袋部により製袋された袋とストリップとを挟持加圧して接着する固着部と、
袋を把持して前記固着部まで移動させる移動部と、
を備えるストリップバッグ装置であって、
前記移動部は、把持する袋の接着面を前記固着部の加圧面に沿うように傾斜させることを特徴とするストリップバッグ装置。
【請求項２】
内部に商品を充填した袋を製袋する製袋部と、
該製袋部により製袋された袋の上部とストリップとを挟持加圧して接着する固着部と、
袋の接着面より下方を把持して前記固着部まで移動させる移動部と、
を備えるストリップバッグ装置であって、
前記移動部は、袋に対する把持部分よりも上方を傾斜させることにより、袋の上部を前記固着部の加圧面に沿わせることを特徴とするストリップバッグ装置。
【請求項３】
前記移動部は、前記製袋部と前記固着部の間を往復動する移動部材に、袋の上下方向の中間部を把持する把持部材を備えてなり、
前記把持部材の把持面が、袋の把持部分の上方を傾斜させる形状を有することを特徴とする請求項２に記載のストリップバッグ装置。
【請求項４】
前記把持部材の把持面が前記固着部の加圧面に合わせて傾斜させられていることを特徴とする請求項３に記載のストリップバッグ装置。
【発明の詳細な説明】
【０００１】
【発明の属する技術分野】
本発明は、帯状フィルムをシールして、その内部にポテトチップス等の商品を充填した袋を製袋し、袋をストリップとともに挟持加圧してストリップに接着するストリップバッグ装置に関する。
【０００２】
【従来の技術】
従来、ポテトチップス等のスナック菓子袋を所定数ストリップに所定間隔で接着して吊り下げた状態で陳列し、客が菓子袋を引っ張って取り外せるようにしたストリップバッグが採用されている。このようなストリップバッグを製造するために、内部に商品が充填された袋を自動製袋して、繰り出されるストリップに対して、順次、袋を挟持加圧して接着させるようにしたストリップバッグ装置が採用されている（例えば、特許文献１〜３参照）。
【０００３】
出願人会社においても、特願平２００２−２５１８４５号公報に記載されるように、帯状フィルムを筒状に形成し、その内部にポテトチップス等の商品を充填した袋を製袋する製袋部と、送り出しローラー部により送り出されたストリップに袋を加圧接着する固着部と、製袋部で製袋された袋を固着部まで移動させる左右一対のアームを有してなる移動部とを備えるストリップバッグ装置が提案されている。
【０００４】
製袋部は、帯状のフィルムを下部及び側面部がシールされた縦方向に延びる筒状体に形成し、この筒状体に上方から商品を落下投入した後、熱シール機構で袋の上部をシールするとともに帯状フィルムから切り離すようになっている。移動部の左右のアームの上部には、袋の側部を把持するための把持部材が設けられており、この把持部材が、製袋された袋が帯状フィルムから切り離される前に、袋の左右両側を把持するようになっている。移動部は、把持部材により袋を把持したままで動作して、袋を製袋部から固着部へ移動させる。
【０００５】
固着部は、高温に熱されるヒーターとこれに押付加圧されるクランプを備えてなり、ヒーター上に繰り出されるストリップと移動部によりストリップ上にセットされる袋の上部とを、ヒーターとクランプの加圧面で挟持加圧して接着する。その後、移動部は、新たに製袋される袋を把持するために製袋部に戻り、固着部では、クランプが開放されて、ストリップが新しく繰り出されて、また同じ動作が繰り返される。
【０００６】
【特許文献１】
特表平９−５０８８７９号公報
【特許文献２】
米国特許第３８６４８９５号公報
【特許文献３】
国際公開第９８／５２８２３号公報
【０００７】
【発明が解決しようとする課題】
ところで、上述のように、縦方向に製袋される袋は、製袋部から直立した状態で出される。また、袋の両側部を把持する把持部材は、袋を傷付けないように平坦に形成されるとともに、製袋部の熱シール機構との干渉を避けるために水平方向に開閉されるようになっている。すなわち、ストリップと接着される袋の上部は、直立状態のままで固着部まで搬送されることとなる。一方、固着部では、搬送される袋と開閉するクランプが干渉しないように、あるいはストリップをヒーター上面に沿って繰り出させるため、ヒーターおよびクランプは鉛直方向に対して傾斜させられている。
【０００８】
したがって、傾斜している固着部に対して、直立状態の袋上部がセットされることとなるため、ストリップに対して狙い通りの位置に袋の接着面がセットされず、接着位置が安定しないという問題があった。また、クランプが、袋の上部をヒーターで挟持加圧する際に、袋の上端に干渉して、袋を上端から押し潰すような形で接着されてしまうことがあった。
【０００９】
本発明は、斯かる実情に鑑み、接着面となる袋の上部を、ストリップと接着させる固着部に対して正確にセットし、接着位置の安定化および袋の潰れを防止するようにしたストリップバッグ装置を提供しようとするものである。
【００１０】
【課題を解決するための手段】
請求項１の発明は、内部に商品を充填した袋を製袋する製袋部と、該製袋部により製袋された袋とストリップとを挟持加圧して接着する固着部と、袋を把持して前記固着部まで移動させる移動部と、を備えるストリップバッグ装置であって、  前記移動部は、把持する袋の接着面を前記固着部の加圧面に沿うように傾斜させることを特徴とするストリップバッグ装置を提供する。
【００１１】
請求項１の発明によれば、以下のような作用が得られる。移動部が、袋の接着面を固着部の加圧面に沿わせるので、ストリップに対する接着位置を安定化させることができるという作用を奏する。
【００１２】
請求項２の発明は、内部に商品を充填した袋を製袋する製袋部と、該製袋部により製袋された袋の上部とストリップとを挟持加圧して接着する固着部と、袋の接着面より下方を把持して前記固着部まで移動させる移動部と、を備えるストリップバッグ装置であって、前記移動部は、袋に対する把持部分よりも上方を傾斜させることにより、袋の上部を前記固着部の加圧面に沿わせることを特徴とするストリップバッグ装置を提供する。
【００１３】
請求項２の発明によれば、以下のような作用が得られる。移動部が、袋の接着面となる上部を固着部の加圧面に沿わせるので、ストリップに対する接着位置を安定化させることができるとともに、袋の上端が固着部で押し潰されてしまうことを防止できるという作用を奏する。
【００１４】
請求項３の発明は、前記移動部は、前記製袋部と前記固着部の間を往復動する移動部材に、袋の上下方向の中間部を把持する把持部材を備えてなり、前記把持部材の把持面が、袋の把持部分の上方を傾斜させる形状を有することを特徴とする請求項２に記載のストリップバッグ装置を提供する。
【００１５】
請求項３の発明によれば、請求項２の作用に加えて、以下のような作用が得られる。把持部材の把持面の形状により、袋の上部を傾斜させることとしたので、容易に装置を構成することができ、コストの低減を図ることができる。
【００１６】
請求項４の発明は、前記把持部材の把持面が前記固着部の加圧面に合わせて傾斜させられていることを特徴とする請求項３に記載のストリップバッグ装置を提供する。
【００１７】
請求項４の発明によれば、請求項３の作用に加えて、以下のような作用が得られる。把持部材の把持面が加圧面に合わせて傾斜しているので、袋の上部を確実に加圧面に沿わせることができるものである。
【００１８】
【発明の実施の形態】
以下、本発明の実施の形態を、添付図面を参照しつつ説明する。
【００１９】
図１〜図４は発明を実施する形態の一例を示す図であって、図１は、製袋部１で製袋された袋Ｂを移動部３で把持する状態、図２は、固着部２で袋ＢをストリップＳに接着する状態を示す。図３は、移動部３に備えられる把持部材３２４，３２５の動きを説明する図であり、図４は、把持部材３２４，３２５の拡大図である。
【００２０】
〔ストリップバッグ装置の概要〕
本発明にかかるストリップバッグ装置は、図１又は図２に示されるように、製袋部１、固着部２、移動部３、及びストリップ搬送部４を備えてなり、内部に商品が充填された袋Ｂを製袋部１で自動製袋して、固着部２まで移動部３で移動させ、ストリップ搬送部４から繰り出されるストリップＳに対して、袋Ｂの接着面となる上端Ｂｕを挟持加圧して接着させるようにしたものである。
【００２１】
〔製袋部１〕
製袋部１は、帯状のフィルムを下方に送り出しながら、側面部及び下部がシールされた縦方向に延びる筒状に形成し、その内部に上方から商品を落下投入して、その上部を熱シール機構１１でシールするとともに帯状フィルムから切り離して、袋Ｂを自動製袋する。熱シール機構１１は、図１又は図２に示されるように、回転部材１１１、付勢部材１１２、シールジョー１１３，１１４を備えてなる。２つの回転部材１１１は、シールジョー１１３，１１４を両端部に備えており、左右対称となるように回転支持軸１１１ａを中心に回転する。
【００２２】
シールジョー１１３と１１４とは、図２に示されるように、ポイントＰ１で出会って袋Ｂの上端を挟持し、付勢部材１１２の付勢力で挟持状態を維持しつつ下方に移動し、図１に示されるように、ポイントＰ２で離れて袋Ｂを下方に排出する。シールジョー１１３，１１４には、袋Ｂの上端とこれに続く袋の下端を熱シールするヒーター、及び上下の袋を切り離すカッターが備えられている。なお、回転支持軸１１１ａは、横方向にスライド自在に設けられており、シールジョー１１３，１１４がＰ１及びＰ２の間にあるときは、付勢部材１１２の付勢力に抗して、外側に逃げるようになっている。
【００２３】
〔固着部２〕
固着部２は、ヒーター２１とクランプ２２とを備えてなる。ヒーター２１は、上面に加圧面２１ａが形成され、加圧面２１ａが２００℃程度に加熱されるブロック体である。加圧面２１ａは、後述のストリップ搬送部４から送り出されるストリップＳがスムーズに通過できるように、ストリップＳの進行方向を低くした傾斜が与えられている。なお、ストリップＳは、通過時にヒーター２１の熱で溶け落ちない程度の耐熱性を有している。
【００２４】
クランプ２２は、回動支持軸２２ａで揺動自在に支持されるレバー体で、自由端にはヒーター２１の加圧面２１ａに押し付けられる押さえ面２２ｂが形成されており、図１又は図２（二点鎖線）に示される開放位置と、図２（実線）に示される閉鎖位置との間を往復移動する。クランプ２２は、閉鎖位置において、ストリップＳと袋Ｂの接着面である上端Ｂｕとを、ヒーター２１との間で挟持加圧して、ヒーター２１の熱によりストリップＳと袋Ｂを溶着（接着）させる。
【００２５】
〔移動部３〕
移動部３は、製袋部１から排出される袋Ｂを把持して、固着部２まで移動させて、袋Ｂの上端Ｂｕを、クランプ２２の押さえ面２２ｂとヒーター２１の加圧面２１ａとで挟持加圧可能な位置にセットする。移動部３は、製袋部１及び固着部２の左右両側に一対に設けられ、それぞれ固定支持体３１と往復移動体３２と備えてなる。左右の固定支持体３１は、斜めに延びる二本のレール部材３１１の上端部及び下端部が上部支持部材３１２及び下部支持部材３１３で固体されることにより構成され、外側がカバーＣで覆われている。
【００２６】
左右の往復移動体３２は、レール部材３１１にスライド自在に係合されるスライド部材３２１、スライド部材３２１に一端が固定されるアーム３２２、アーム３２２の他端に固定される移動部材３２３、及び移動部材３２３に配設される把持部材３２４及び３２５からなる。スライド部材３２１は、不図示の駆動機構で上下に往復動させられ、それに伴って、移動部材３２３が製袋部１と固着部２の間を往復動する。
【００２７】
把持部材３２４、３２５は、それぞれ回動支持軸３２４ａ，３２５ａで回動自在に支持される棒状部材であり、移動部材３２３に内蔵される駆動機構によって、図３（ａ）に矢印で示されるように、左右対称に開閉する。そして、閉じ方向に回動することにより、図３（ｂ）に示されるように、製袋部１から排出される袋Ｂの上下方向の中間部を、左右両側から把持することできる。
【００２８】
把持部材３２４，３２５に形成されて袋Ｂを把持する把持面３２４ｂ，３２５ｂは、図４（ａ）に示されるように、平坦状に形成されているが、斜めにカットされており、加圧面２１ａの傾斜角度に合わせた傾斜が設けられている。したがって、把持部材３２４，３２５で袋Ｂを把持すると、袋Ｂに対する把持部分よりも上方が傾斜させられることとなる。その結果、把持部材３２４，３２５で把持された袋Ｂを固着部２まで移動させると、図４（ｂ）に示されるように、ストリップＳに接着される袋Ｂの上端Ｂｕが、ヒーター２１の加圧面２１ａに沿わされることとなる。
【００２９】
なお、把持面３２４ｂ，３２５ｂに傾斜がつけられておらず垂直である場合には、袋Ｂの上部も、図４（ｂ）に二点鎖線で示されるように、垂直状態のままで傾斜した加圧面２１ａから離れた状態となって、ストリップＳに対する接着位置にズレが生じたり、袋Ｂの上部がクランプで押し潰されたりする不具合を生じることとなる。
【００３０】
〔ストリップ搬送部４〕
ストリップ搬送部４は、駆動ローラー４１、アイドルローラー４２、送り出しローラー４３、駆動ローラー４１の駆動回転を送り出しローラー４３に伝達する駆動ベルト４４、駆動ベルト４４に押し付けられるテンションローラー４５及び押さえローラー４６を備えてなる。ストリップＳは、駆動ベルト４４とローラー４３，４５により送り出されて、案内部材４７により案内され、ヒーター２１の加圧面２１ａの上側を通過する。
【００３１】
〔上記実施形態の作動〕
次に、上記した実施の形態の作動を説明する。まず、移動部材３２３は、図１に示されるように製袋部１まで移動して、把持部材３２４，３２５で熱シール機構１１から排出される袋Ｂを左右両側から把持する。把持部材の把持面３２４ｂ，３２５ｂは傾斜させられているため、袋Ｂに対する把持部分の上方も傾斜させられることとなる。次に、移動部材３２３は、図２に示されるように固着部２まで下方移動して、傾斜させられた袋Ｂの上端Ｂｕを、ヒーター２１の加圧面２１ａを通過するストリップＳの上面にセットする。最後に、クランプ２２が下方に回動して、加圧面２１ａとの間で、袋ＢとストリップＳを挟持加圧し溶着させる。その後、再び移動部材３２３が上方移動して、同じ動作を繰り返すこととなる。
【００３２】
〔上記実施形態の変形例〕
上記実施形態では、把持部材３２４，３２５は、把持面が斜めにカットされていたが、これに代えて、図５（ａ）に示されるような把持部材３２６，３２７を使用しても良い。これらは、断面がＬ字形に形成されるており、上下逆に組み合わせることにより、把持される袋Ｂの上部を斜めに傾斜させるようにするものである。この場合、袋Ｂの上部は、把持部材３２７の側に傾斜する。また、図５（ｂ）に示されるような把持部材３２８，３２９を使用しても良い。これらは、板状部材で形成されており、板状体を傾斜させるだけで容易に製作できるものである。さらに、図５（ｃ）に示されるように、上下垂直の把持面を有する把持部材３３０，３３１が組み合わせられたものに、同形状の把持部材３３２を追加したものを使用するようにしても良い。把持部材３３２を、把持部材３３０の上方に同軸で、かつ、把持部材３３１の側に首振りさせた状態で固定することにより、袋Ｂの上部を把持部材３３１の側に傾斜させるものである。
【００３３】
上記実施形態では、袋Ｂの上端Ｂｕを接着面としたが、把持部材による把持部分よりも上方であれば、袋Ｂの上部のいずれを接着面としても良く、上端Ｂｕである必要はない。
【００３４】
尚、本発明のストリップバッグ装置は、上記した実施の形態に限定されるものではなく、本発明の要旨を逸脱しない範囲内において種々変更を加え得ることは勿論である。
【００３５】
【発明の効果】
以上、説明したように本発明の請求項１〜４記載のストリップバッグ装置によれば、移動部が袋の接着面を固着部の加圧面に沿わせる、あるいは、袋の接着面となる上部を固着部の加圧面に沿わせるので、ストリップに対する接着位置を安定化させたり、袋の上端が固着部で押し潰されてしまうことを防止できたりするという優れた効果を奏し得る。
【図面の簡単な説明】
【図１】本発明の実施形態において、製袋部で製袋された袋を移動部で把持する状態を示す図である。
【図２】固着部で袋をストリップに接着する状態を示す図である。
【図３】把持部材の動きを説明する図であり、（ｂ）は袋を把持した状態を示す図である。
【図４】把持部材の拡大図であり、（ｂ）は（ａ）のＸ視である。
【図５】本発明の他の実施形態を示す図である。
【符号の説明】
１    製袋部
２    固着部
３    移動部
４    ストリップ搬送部
１１      熱シール機構
２１      ヒーター
２１ａ  加圧面
２２      クランプ
２２ｂ  押さえ面
３２３    移動部材
３２４    把持部材
３２５    把持部材
３２４ｂ    把持面
３２５ｂ    把持面
Ｂ    袋
Ｂｕ  上端（接着面）
Ｓ    ストリップ
【図１】
2004331151.tif 000003
【図２】
2004331151.tif 000004
【図３】
2004331151.tif 000005
【図４】
2004331151.tif 000006
【図５】
2004331151.tif 000007